(57)【要約】【課題】台間機本体をホルダにロックするためのロック機構を小型でコンパクトに構成すること。【解決手段】遊技台用台間機１のロック機構４では、スライド板１３に、ロック部材であるフック１１と、ばね覆い部分１３ｂとが形成され、ばね覆い部分１３ｂにより、スライド板１３を下側に付勢しているコイルばね１８の背面側が覆われている。スライド板１３のスライド範囲内にコイルばね１８が配置され、スライド板１３およびコイルばね１８の設置スペースを共用化してある。コイルばね１８がばね覆い部分１３ｂにより覆われているので、ホルダ背面側に配置されている配線群や取り付け枠にコイルばねが当たって変形や脱落が起きることを防止できる。また、部品点数が少なく、小型でコンパクトにロック機構を構成できる。【選択図】      図２
2004305576.tif 000002
【特許請求の範囲】
【請求項１】
遊技台に隣接配置されたホルダと、このホルダに前方から抜き差し可能に装着されている台間機本体と、前記台間機本体を前記ホルダにロックしているロック機構とを有する遊技台用台間機において、
前記ロック機構は、
前記ホルダに差し込まれた台間機本体に対して係止可能なロック部材と、
前記ロック部材を係止方向および係止解除方向にスライドさせるスライド板と、
前記スライド板を前記係止方向に付勢しているばね部材と、
前記ばね部材の背面側の部分を覆うために、前記スライド板に一体形成されているばね覆いと、
を有していることを特徴とする遊技台用台間機。
【請求項２】
請求項１において、
前記ばね覆いを備えたスライド板と前記ロック部材とが単一部品として形成されていることを特徴とする遊技台用台間機。
【請求項３】
請求項１または２において、
前記ばね部材は、前記スライド板のスライド範囲内に位置していることを特徴とする遊技台用台間機。
【請求項４】
遊技台に隣接配置されたホルダと、このホルダに前方から抜き差し可能に装着されている台間機本体と、前記台間機本体を前記ホルダにロックしているロック機構とを有する遊技台用台間機において、
前記ロック機構は、
前記ホルダに差し込まれた台間機本体に対して係止可能なロック部材と、
前記ロック部材を係止方向および係止解除方向にスライドさせるスライド板と、
前記スライド板を前記係止方向に付勢しているばね部材とを有し、
前記ばね部材は、前記スライド板のスライド範囲内に位置していることを特徴とする遊技台用台間機。
【請求項５】
請求項１ないし４のうちのいずれかの項において、
前記ロック部材の係止が解除される位置までスライドした前記スライド板を、当該位置に保持可能なスライドロック部材を有していることを特徴とする遊技台用台間機。
【請求項６】
請求項１ないし５のうちのいずれかの項において、
前記スライド板を前記係止解除方向にスライドさせるための操作部材を有していることを特徴とする遊技台用台間機。
【請求項７】
遊技台に隣接配置されたホルダと、このホルダに前方から抜き差し可能に装着されている台間機本体と、前記台間機本体を前記ホルダにロックしているロック機構とを有する遊技台用台間機において、
前記ロック機構は、少なくとも第１および第２のロック機構を含み、
前記第１および第２のロック機構は、請求項１ないし６のうちのいずれかの項に記載のロック機構であり、
前記第１および第２のロック機構における各スライド板が、連結板によって相互に連結されていることを特徴とする遊技台用台間機。
【請求項８】
請求項７において、
前記連結板には操作部材が連結されていることを特徴とする遊技台用台間機。
【発明の詳細な説明】
【０００１】
【発明の属する技術分野】
本発明は、隣接配置されている遊技台に対して遊技媒体の貸し出し処理を行う遊技台用台間機に関するものである。さらに詳しくは、本発明は、遊技台に隣接配置されたホルダと、ホルダに対して前側から抜き差し可能に装着されている台間機本体とを備えた遊技台用台間機において、台間機本体をホルダにロックするロック機構の改良に関するものである。
【０００２】
【従来の技術】
遊技台用台間機は、一般に、遊技島を構成している取り付け枠の側に固定したホルダに対して、制御ユニット、紙幣識別ユニットなどの各構成部品が内蔵された台間機本体が前側から抜き差し可能な状態で装着されている。また、台間機本体がホルダから引き抜かれることが無いように、ロック機構によって台間機本体がホルダにロックされている。メンテナンス時等においてロック機構を解除して、台間機本体をホルダから引き抜くようにしている。
【０００３】
ロック機構としては、台間機本体をホルダに差し込む動作に連動して台間機本体をホルダに自動的にロック可能なものが知られており、例えば、下記の特許文献１、２、３に開示されている。このような自動ロック機構では、ロック位置（係止位置）およびアンロック位置（係止解除位置）に移動可能なロック部材をばねによりロック位置に付勢しておき、台間機本体をホルダに差し込む動作に連動させて、ロック部材を一旦アンロック位置に移動させた後にロック位置に戻すことによりロック状態が自動形成されるようになっている。
【０００４】
ロック状態の台間機本体を引き抜くためには、ロック部材をばね力に逆らって手動によりアンロック位置に移動させることによりロックを解除し、この状態を保持したままで台間機本体を手前に引き出せばよい。下記の特許文献３においては、ロック部材に連結されたワイヤを引くことにより、ロック部材をアンロック位置に移動させる操作を簡単に行い得るようにしている。
【０００５】
また、下記の特許文献２、３に開示のロック機構は、ロック部材をアンロック位置に移動した後は、台間機本体が引き抜かれるまで、ロック部材を自動的にアンロック状態に保持するための機構も設けられている。かかる機構により、台間機本体の引き抜き作業を簡単に行うことができる。
【０００６】
【特許文献１】
特開平９−９４３４４号公報
【特許文献２】
特開２００２−１１２３７号公報
【特許文献３】
特開２００３−１０５２９号公報
【０００７】
【発明が解決しようとする課題】
ここで、従来のロック機構では、一般に、ロック部材を付勢しているばね部材がホルダの背面に露出状態で取り付けられている。このために、ホルダ取り付け作業時や、ロックを解除する操作時などにおいて、ばね部材がホルダ背面側に配置されている配線や遊技島の取り付け枠などに当たり、変形したり、あるいはホルダから外れる惧れがある。また、ばね部材に配線などが絡まり、充分なばね力が発揮されず、ロック状態が確実に形成されず、あるいはロック解除ができないなどの弊害が発生する惧れがある。
【０００８】
一方、ロック機構の構成部品であるロック部材などを台間機本体の側に取り付けておくと、台間機本体を取り外した場合に、他の機器や床などにロック部材が当たり変形するなどの惧れがある。よって、ロック機構の構成部品は可能な限りホルダ側に取り付けておくことが望ましい。このようにするためには、ロック機構の部品点数を低減してロック機構の小型化を図り、ホルダ側におけるロック機構の設置スペースを可能な限り小さくすることが必要である。
【０００９】
本発明の課題は、このような点に鑑みて、ロック機構のばね部材の変形、脱落を防止でき、しかも、少ない部品点数でコンパクトに構成可能なロック機構を備えた遊技台用台間機を提案することにある。
【００１０】
【課題を解決するための手段】
上記課題を解決するために、本発明は、遊技台に隣接配置されたホルダと、このホルダに前方から抜き差し可能に装着されている台間機本体と、前記台間機本体を前記ホルダにロックしているロック機構とを有する遊技台用台間機において、
前記ロック機構は、
前記ホルダに差し込まれた台間機本体に対して係止可能なロック部材と、
前記ロック部材を係止方向および係止解除方向にスライドさせるスライド板と、
前記スライド板を前記係止方向に付勢しているばね部材と、
前記ばね部材の背面側の部分を覆うために、前記スライド板に一体形成されているばね覆いとを有していることを特徴としている。
【００１１】
本発明では、ロック機構のばね部材がロック部材をスライドさせるスライド板に一体形成されたばね覆いによって覆われている。よって、ばね部材がホルダ背面に取り付けられている場合に、ばね部材がホルダ背面側に配置されている配線類や取り付け枠などに当たって変形あるいは脱落することがない。また、ばね覆いはスライド板に一体形成されているので、ばね部材を保護するために別部材を配置する必要がないので部品点数が増加せず、ロック機構をコンパクトに構成できる。
【００１２】
ここで、前記ばね覆いを備えたスライド板と前記ロック部材とが単一部品として形成されていれば、ロック機構の部品点数を低減できるので好ましい。
【００１３】
また、本発明の遊技台用台間機では、前記ばね部材を前記スライド板のスライド範囲内に位置させて、スライド板の設置スペースとばね部材の設置スペースを共用化している。この構成によれば、ロック機構を小型でコンパクトに構成できる。
【００１４】
次に、前記ロック部材の係止が解除される位置までスライドした前記スライド板を、当該位置に保持可能なスライドロック部材を有していることが望ましい。
【００１５】
また、前記スライド板を前記係止解除方向にスライドさせるための操作部材を有していることが望ましい。
【００１６】
さらに、遊技台用台間機は一般に縦長の扁平な直方体形状をしているので、ロック機構によるロック位置を複数箇所にすれば、ロック状態におけるがたつきを無くすことができるので好ましい。
【００１７】
この場合には、連結板によって各ロック機構のスライド板を連結しておけば、連結板を操作することにより、各スライド板を係止解除位置にスライドさせることができるので便利である。また、この場合、連結板にワイヤなどの操作部材を連結しておけばよい。
【００１８】
【発明の実施の形態】
以下に、図面を参照して、本発明を適用したロック機構を備えた遊技台用台間機の実施の形態を説明する。
【００１９】
図１（ａ）は本実施の形態に係る遊技台用台間機を示す側面図であり、図１（ｂ）は遊技台用台間機のホルダの正面図であり、図１（ｃ）はホルダの背面図である。遊技台用台間機１は、遊技台（図示せず）の隣接位置において遊技島を構成している取り付け枠（図示せず）等に固定されているホルダ２と、このホルダ２に対して前方から抜き差し可能な状態で装着されている台間機本体３と、台間機本体３をホルダ２から外れないようにロックしているロック機構４とを有している。ホルダ２および台間機本体３は、一般的に知られている構成のもの、例えば、前述の特許文献に開示のものを採用できるので、本明細書においてはそれらの説明は省略するものとする。
【００２０】
図２はホルダ２と台間機本体３の間に構成されているロック機構４を示す図であり、（ａ）はホルダ２に台間機本体３が差し込まれる前の状態のロック機構を示す断面図であり、（ｂ）はロック機構の分解斜視図である。これらの図を参照して本例のロック機構４を説明する。
【００２１】
ロック機構４は、ホルダ２の背面板部分２ａに形成した上下に長い矩形開口部２ｂから前方に突出しているロック部材としてのフック１１と、台間機本体３の背面板部分３ａに形成され、フック１１を係止可能な縦長の細い係止孔１２とを有している。フック１１は、ホルダ２の背面板部分２ａの背面に上下方向にスライド可能に取り付けられたスライド板１３に一体形成されている。
【００２２】
スライド板１３は、前後方向に向いている垂直板部分１３ａと、この垂直板部分１３ａの上端部分を前方に延長させることにより形成されているフック１１と、垂直板部分１３ａの後端から横方に直角に折れ曲がって延びている一定幅のばね覆い部分１３ｂとを備えている。ばね覆い部分１３ｂの下端は背面側に直角に折り曲げられて、指掛かり部分１３ｃが形成されている。
【００２３】
垂直板部分１３ａの上端部分におけるフック１１の根元側のくびれ部分１１ａよりも後側の位置に、ねじ孔１３ｄが形成されている。このねじ孔１３ｄには、段付きねじ１４によってストッパ１５（スライドロック部材）が上下方向に旋回可能な状態で取り付けられている。ストッパ１５は、前後に向いている垂直板部分１５ａと、垂直板部分１５の上端から横方に直角に折れ曲がっている水平板部分１５ｂとを備えている。垂直板部分１５ａは、旋回中心１５ｃよりも前側の部分が斜め下方に延びた係合爪１５ｄとされており、この係合爪１５ｄの先端面１５ｅは前後方向に延びる水平面とされている。また、側方から見た場合に、当該係合爪１５ｄはフック１１のくびれ部分１１ａを覆い隠しており、その先端面１５ｅがフック１１よりも下方に突出した位置にある。さらに、ストッパ１５の後端部分はスライド板１３のばね覆い部分１３ｂに当接しており、従って、ストッパ１５は図に示す初期状態から旋回中心１５ｃの回りを前方にのみ旋回可能となっている。
【００２４】
次に、スライド板１３の垂直板部分１３ａには上下方向に延びる長孔１３ｆが形成されており、この長孔１３ｆにスライド自在に通した上下２本の段付きねじ１６ａ、１６ｂによって、スライド板１３は、ホルダ背面板部分２ａの背面に固定したブラケット１７に対して、上下方向にスライド可能な状態で取り付けられている。従って、スライド板１３の上下のスライド限界が、それぞれ、下側の段付きねじ１６ｂおよび上側の段付きねじ１６ａによって規定されている。
【００２５】
ブラケット１７は、スライド板１３が上下方向にスライド可能に取り付けられている一定幅の垂直板部分１７ａと、この垂直板部分１７ａの上端および下端から横方に直角に折れ曲がっている上板部分１７ｂおよび下板部分１７ｃと、上板部分１７ｂおよび下板部分１７ｃの前側の縁からそれぞれ上方および下方に直角に折れ曲がって延びている上取り付け板部分１７ｄおよび下取り付け板部分１７ｅとを備えている。これら上下の取り付け板部分１７ｄおよび１７ｅが、ホルダ背面板部分２ａの前側から取り付けた上下一対の取り付けねじ１８ａ、１８ｂによって、ホルダ背面板部分２ａの背面に固定されている。
【００２６】
ここで、ブラケット１７の下板部分１７ｃにはばね掛け溝１７ｆが形成され、スライド板１３に取り付けたストッパ１５の水平板部分１５ｂには、ストッパ旋回中心１５ｃの後方側の位置に、ばね掛け孔１５ｅが形成されている。これらの間に、引張り状態でコイルばね１８が架け渡されている。従って、コイルばね１８のばね力によって、スライド板１３は常にスライド範囲の下限位置（係止位置）に保持されている。ストッパ１５には、コイルばね１８によって、旋回中心１５ｃの回りを後側に旋回させる力が作用しているが、その後端がスライド板１３のばね覆い部分１３ｂに当たっているので、後方へ旋回することがない。また、前方への旋回もコイルばね１８のかかるばね力によって拘束されている。
【００２７】
一方、台間機本体３の背面板部分３ａに形成されている係止孔１２は、その下端縁１２ａが、スライド範囲の下限位置（係止位置）にあるフック１１の垂直な先端面１１ｂよりも下側に位置している。フック１１は垂直な先端面１１ｂの下端に滑らかに連続して下方および後方に向けて傾斜している傾斜端面１１ｃを備えている。従って、後述するフック１１が係止孔１２に差し込まれる動作が円滑に行われる。
【００２８】
次に、図３を参照して、このように構成したロック機構４の動作を説明する。図３（ａ）に示すように、ホルダ２に対して台間機本体３を位置合わせして、ホルダ２に対して台間機本体３を前側から差し込む。この結果、図３（ｂ）に示すように、台間機本体３の背面板部分３ａに形成されている係止孔１２に、ホルダ２の背面板２ａの開口部２ｂから前方に突出しているフック１１の先端が当たる。すなわち、フック１１の傾斜端面１１ｃが係止孔１２の下端縁１２ａに当たる。台間機本体３をさらに差し込むと、係止孔１２の下端縁１２ａによってフック１１が上方に押される。フック１１は上下にスライド可能なスライド板１３に形成されている。よって、台間機本体３が差し込まれると、スライド板１３がばね力に逆らって上方にスライドしながら、フック１１が係止孔１２に差し込まれる。
【００２９】
ここで、フック１１の傾斜端面１１ｃの後側の部分においては、ストッパ１５の係合爪１５ｄが傾斜端面１１ｃより下方に突出している。従って、台間機本体３が完全に差し込まれる直前において、台間機本体側の係止孔１２の下端縁１２ａがストッパ１５の係合爪１５ｄに当たり、係合爪１５ｄを後方に押し込む。図３（ｃ）はこの状態を示してある。ストッパ１５は旋回中心１５ｃの回りに前方に旋回可能であるので、係合爪１５ｄが押されると全体として前方に旋回する。
【００３０】
台間機本体３がストッパ１５の係合爪１５ｄを押しながら完全に差し込まれると、その係止孔１２の下端縁１２ａがフック１１の傾斜端面１１ｃを乗り越えてくびれ部分１１ａに到る。この結果、コイルばね１８によって下方に引張られているスライド板１３が下方にスライドする。これにより、図３（ｄ）に示すように、フック１１が係止孔１２に係止された状態、すなわち、ロック機構４のロック状態が形成される。
【００３１】
次に、台間機本体３をホルダ２から引き出す場合におけるロック機構４のロック解除動作を説明する。ロックを解除するためには、スライド板１３の下端に形成されている指掛かり部分１３ｃに指を掛けて、ばね力に逆らってスライド板１３をスライド範囲の上限位置（係止解除位置）まで引き上げる。スライド板１３を上限位置まで引き上げると、台間機本体の背面板部分３ａの背面に押し付けられた状態にあったストッパ１５の係合爪１５ｄの先端が、係止孔１２の下端縁１２ａよりも上に移動する。この結果、コイルばね１８によって、常に、上方に旋回する方向に付勢されているストッパ１５が旋回して、その係合爪１５ｄが係止孔１２に入り込み、係合爪１５ｄの水平な先端面１５ｅが係止孔１２の下端縁１２ａに乗り上げた状態が形成される。図３（ｅ）はこの状態を示してある。ストッパ１５は後方には旋回しないように保持されているので、この状態が形成されると、スライド板１３が当該係止解除位置に保持される。換言すると、ロック機構４によるロックが解除された状態が保持される。
【００３２】
このように、スライド板１３を上限位置まで引き上げることによりロック機構４によるロックが解除され、その解除状態が保持される。この後は、台間機本体３を手前側に引き出すことができる。台間機本体３を引き出すと、ストッパ１５の係合爪１５ｄが引き出された台間機本体３の係止孔１２の下端縁１２ａから外れる。この結果、スライド板１３がばね力によって下方にスライドして、図３（ａ）に示す状態に戻る。従って、台間機本体３をホルダ２に差し込むと、再び、自動的にロック状態が形成される。
【００３３】
このように構成した本例の遊技台用台間機１のロック機構４においては、フック１１が形成されているスライド板１３を係止位置に付勢しているコイルばね１８の背面側が、スライド板１３に形成されたばね覆い部分１３ｂによって覆われている。従って、コイルばね１８がホルダ２の背面側に配置されている配線群や取り付け枠などに当たって変形や脱落が発生することを防止できる。
【００３４】
また、ロック部材としてのフック１１と、スライド板１３と、ばね覆い部分１３ｂとが単一部品により形成されている。従って、ロック機構４の部品点数を低減することができ、ロック機構４をコンパクトに構成できる。
【００３５】
さらには、コイルばね１８は、スライド板１３のスライド範囲内の位置に配置されている。すなわち、ブラケット１７の上板部分１７ｂおよび下板部分１７ｃによって規定されている範囲内をスライド板１３が上下し、スライド板１３の上端に取り付けたストッパ１５とブラケット１７の下板部分１７ｃとの間にコイルばね１８を架け渡してある。このように、スライド板１３のスライド範囲と、コイルばね１８の設置スペースとが共用化されているので、ロック機構４を小型でコンパクトに構成できる。特に、ロック機構４の上下方向の長さを短くできる。
【００３６】
なお、本例において、スライド板１３に形成した指掛かり部分１３ｃに、ワイヤなどの操作部材を連結しておいてもよい。このようにすれば、スライド板１３を直接触れることなく、スライド板１３を操作できるので、ロック解除作業が簡単になる。
【００３７】
また、遊技島に多数の遊技台を設置するために、遊技台用台間機１は縦長の扁平な直方体形状であることが一般的である。縦長の台間機本体３をがたつきなくロックするためには、ロック機構４によるロック位置を複数箇所とすることが望ましい。例えば、上下の２箇所をロックすることが望ましい。
【００３８】
図４には、ロック位置が上下の２箇所に形成されるロック機構の例を示してある。この図に示すロック機構４０は、基本的には、上記のロック機構４を上下に２箇所配置した構造となっている。従って、対応する部位には同一の符号を付し、それらの説明は省略するものとする。本例のロック機構４０では、上下に長い連結板４１を備えている。連結板４１の上端部分が取り付けねじ４２によって上側のロック機構４Ａのスライド板１３のばね覆い部分１３ｂに連結され、連結板４１の下端部分が取り付けねじ４３によって下側のロック機構４Ｂのスライド板１３のばね覆い部分１３ｂに連結されている。また、上側のロック機構４Ａにおけるブラケット１７の上板部分１７ｂにワイヤ通し孔１７Ａを形成し、ここを通して上側から引き込んだワイヤ４４の下端を、連結板４１の上板部分４１ａに連結してある。
【００３９】
この構成のロック機構４０では、台間機本体３をホルダ２に差し込む場合には、上記のロック機構４と同様に上下のロック機構４Ａ、４Ｂが動作して、自動的にロック状態が形成される。ロックを解除する場合には、ワイヤ４４を引き上げると、連結板４１に連結されている上下のロック機構４Ａ、４Ｂのスライド板１３、１３が同時に上方に引き上げられて、ロック解除状態が形成される。よって、ロック解除操作も簡単に行うことができる。
【００４０】
【発明の効果】
以上説明したように、本発明の遊技台用台間機のロック機構では、ホルダ背面側に配置されているロック部材を係止位置に付勢しているばね部材の背面側をばね覆いによって覆うようにしている。従って、ばね部材が台間機ホルダの背面側に配置されている配線群や取り付け枠などに当たって変形あるいは脱落するという弊害を回避できる。
【００４１】
また、本発明では、かかるばね覆いと、ロック部材をスライドさせるためのスライド板とを単一部品として形成してある。好適な実施の形態では、ロック部材と、スライド板と、ばね覆いとを単一部品として形成してある。従って、部品点数を増加させることなくばね部材を保護できる。また、ロック機構を小型でコンパクトに構成できる。
【００４２】
さらに、本発明では、スライド板のスライド範囲内に、ロック機構を係止位置に付勢しているばね部材を配置してある。このように、スライド板の設置スペースとばね部材の設置スペースとの共用化を図ることにより、小型でコンパクトなロック機構を構成できる。
【００４３】
次に、本発明では、複数のロック機構を用いて縦長の台間機本体をホルダにロックしているので、がたつきなく台間機本体をロックすることができる。また、各ロック機構のスライド板を連結板によって連結してあるので、各ロック機構を係止解除位置にスライドさせる操作が簡単になる。
【図面の簡単な説明】
【図１】（ａ）は本発明を適用した遊技台用台間機を示す側面図であり、（ｂ）はそのホルダの正面図、（ｃ）はホルダの背面図である。
【図２】図１のロック機構を示す図であり、（ａ）はその断面図、（ｂ）はその分解斜視図である。
【図３】図１のロック機構の動作を示すための動作説明図である。
【図４】本発明を適用したロック機構の別の例を示す分解斜視図である。
【符号の説明】
１    遊技台用台間機
２    ホルダ
２ａ  ホルダ背面板部分
２ｂ  開口部
３    台間機本体
３ａ  台間機本体の背面板部分
４、４Ａ、４Ｂ、４０    ロック機構
１１  フック（ロック部材）
１１ａ  くびれ部分
１１ｃ  傾斜端面部分
１２  係止孔
１２ａ  下端縁
１３  スライド板
１３ｂ  ばね覆い部分
１３ｃ  指掛かり
１３ｆ  長孔
１５  ストッパ（スライドロック部材）
１５ａ  係合爪
１５ｅ  係合爪の先端面
１７  ブラケット
１８  コイルばね（ばね部材）
４１  連結板
４４  ワイヤ
【図１】
2004305576.tif 000003
【図２】
2004305576.tif 000004
【図３】
2004305576.tif 000005
【図４】
2004305576.tif 000006